(57)【要約】【課題】不特定多数の利用者による不適切な機器の運転や設定変更を簡易な方法で回避し、無駄なエネルギー消費を抑えるリモートコントロール装置を提供すること。【解決手段】機器の運転条件の設定や変更などの入力を行う複数のスイッチを備え、前記スイッチを操作して空気調和機などの機器へ運転制御する信号を送信することによって機器の遠隔操作を行い、前記スイッチ操作に基づき機器の運転条件の設定状況等を表示する表示画面を備えたリモートコントロール装置において、前記複数のスイッチのうちの所定のスイッチを操作した後は、所定のスイッチ操作が行われるまで前記リモートコントロール装置のスイッチ操作に基づく運転制御信号の送信を停止する。【選択図】            図４
2004293908.tif 000002
【特許請求の範囲】
【請求項１】
機器の運転条件の設定や変更などの入力を行う複数のスイッチと、前記スイッチを操作して空気調和機などの機器へ運転制御信号を送信することによって空気調和機などの機器の遠隔操作を行い、前記スイッチ操作に基づき機器の運転条件の設定状況等を表示する表示部とを備えたリモートコントロール装置において、
前記複数のスイッチのうちの少なくとも１つの所定のスイッチを操作すると、前記運転制御信号の送信を停止し、前記所定のスイッチを操作するまで、前記運転制御信号の送信の停止を継続することを特徴とするリモートコントロール装置。
【請求項２】
請求項１に記載のリモートコントロール装置において、
前記所定のスイッチを操作すると、前記表示部に所定の表示がなされ、次に前記所定のスイッチを操作すると、前記表示が消去されることを特徴とするリモートコントロール装置。
【請求項３】
請求項１から２のいずれか１項に記載のリモートコントロール装置において、
前記所定のスイッチ操作は、少なくとも１つのスイッチを所定時間押し続けることを特徴とするリモートコントロール装置。
【請求項４】
機器の運転条件の設定や変更などの入力を行う複数のスイッチと、前記スイッチを操作して空気調和機などの機器へ運転制御信号を送信することによって空気調和機などの機器の遠隔操作を行い、前記スイッチ操作に基づき機器の運転条件の設定状況等を表示する表示部と、周囲の温度を検出する温度検出手段とを備え、前記温度検出手段によって検出された温度情報を定期的に機器へ自動送信するリモートコントロール装置において、
前記複数のスイッチのうちの少なくとも１つの所定のスイッチを操作すると、前記運転制御信号の送信を停止し、前記所定のスイッチを操作するまで、前記運転制御信号の送信の停止を継続し、前記温度情報のみ定期的に機器へ自動送信することを特徴とするリモートコントロール装置。
【請求項５】
請求項４に記載のリモートコントロール装置において、
前記温度検出手段によって検出された温度情報を定期的に機器へ自動送信する機能を停止するスイッチを設け、前記スイッチを操作することにより、前記温度情報を自動送信する機能を停止に設定した場合には、前記温度情報の定期的な自動送信を停止することを特徴とするリモートコントロール装置。
【請求項６】
請求項４から５のいずれか１項に記載のリモートコントロール装置において、
前記所定のスイッチを操作すると、前記表示部に所定の表示がなされ、次に前記所定のスイッチを操作すると、前記表示が消去されることを特徴とするリモートコントロール装置。
【請求項７】
請求項４から６のいずれか１項に記載のリモートコントロール装置において、
前記所定のスイッチ操作は、少なくとも１つのスイッチを所定時間押し続けることを特徴とするリモートコントロール装置。
【請求項８】
請求項１から７のいずれか１項に記載のリモートコントロール装置において、
制御対象となる機器が空気調和機であることを特徴とするリモートコントロール装置。
【請求項９】
請求項８に記載のリモートコントロール装置において、
前記リモートコントロール装置は、設定温度を上げるスイッチ及び設定温度を下げるスイッチを備え、前記設定温度を上げるスイッチ及び前記設定温度を下げるスイッチは、最初のスイッチ操作で前記表示画面に現在設定温度を表示し、最初のスイッチ操作から所定時間以内の次のスイッチ操作で設定温度の変更を有効にする機能を有し、前記所定のスイッチ操作は、前記設定温度を上げるスイッチと前記設定温度を下げるスイッチを同時に所定時間押し続けることを特徴とするリモートコントロール装置。
【請求項１０】
請求項１から９のいずれか１項に記載のリモートコントロール装置において、
ワイヤレスであることを特徴とするリモートコントロール装置。
【発明の詳細な説明】
【０００１】
【発明の属する技術分野】
本発明は、例えば空気調和機等を遠隔操作するためのリモートコントロール装置に関する。
【０００２】
【従来の技術】
従来、一般的な空気調和機等のリモートコントロール装置として、例えばワイヤレスリモコンが知られている。（例えば、特許文献１参照）。
【０００３】
このワイヤレスリモコンは空気調和機用のリモートコントロール装置であり空気調和機の運転条件の設定や変更などの入力を行う複数のスイッチを備え、前記スイッチを操作して空気調和機などの機器へ運転制御する信号を送信することによって空気調和機などの機器の遠隔操作を行い、機器の運転条件の設定状況等を表示する表示画面を備えたものである。
【０００４】
【特許文献１】
特開２００２−３５４５６４公報
【０００５】
【発明が解決しようとする課題】
しかし、上記した従来のリモートコントロール装置は、不特定多数の利用者が操作可能なため、いたずら等によって不適切な機器の運転や設定変更が行われ機器の無駄なエネルギー消費や空調性の悪化を引き起こしてしまうという問題があった。
【０００６】
そこで、本発明の目的は、上述した従来の技術が有する課題を解消し、不適切な機器の運転や設定変更を簡易な方法で回避し、無駄なエネルギー消費を抑えることができるリモートコントロール装置を提供することにある。
【０００７】
【課題を解決するための手段】
請求項１に記載の発明は、機器の運転条件の設定や変更などの入力を行う複数のスイッチと、前記スイッチを操作して空気調和機などの機器へ運転制御信号を送信することによって空気調和機などの機器の遠隔操作を行い、前記スイッチ操作に基づき機器の運転条件の設定状況等を表示する表示部とを備えたリモートコントロール装置において、
前記複数のスイッチのうちの少なくとも１つの所定のスイッチを操作すると、前記運転制御信号の送信を停止し、前記所定のスイッチを操作するまで、前記運転制御信号の送信の停止を継続することを特徴とする。
【０００８】
請求項２に記載の発明は、請求項１に記載の発明において、前記所定のスイッチを操作すると、前記表示部に所定の表示がなされ、次に前記所定のスイッチを操作すると、前記表示が消去されることを特徴とする。
【０００９】
請求項３に記載の発明は、請求項１から２のいずれかに記載の発明において、前記所定のスイッチ操作は、少なくとも１つのスイッチを所定時間押し続けることを特徴とする。
【００１０】
請求項４に記載の発明は、機器の運転条件の設定や変更などの入力を行う複数のスイッチと、前記スイッチを操作して空気調和機などの機器へ運転制御信号を送信することによって空気調和機などの機器の遠隔操作を行い、前記スイッチ操作に基づき機器の運転条件の設定状況等を表示する表示部と、周囲の温度を検出する温度検出手段とを備え、前記温度検出手段によって検出された温度情報を定期的に機器へ自動送信するリモートコントロール装置において、
前記複数のスイッチのうちの少なくとも１つの所定のスイッチを操作すると、前記運転制御信号の送信を停止し、前記所定のスイッチを操作するまで、前記運転制御信号の送信の停止を継続し、前記温度情報のみ定期的に機器へ自動送信することを特徴とする。
【００１１】
請求項５に記載の発明は、請求項４に記載の発明において、前記温度検出手段によって検出された温度情報を定期的に機器へ自動送信する機能を停止するスイッチを設け、前記スイッチを操作することにより、前記温度情報を自動送信する機能を停止に設定した場合には、前記温度情報の定期的な自動送信を停止することを特徴とする。
【００１２】
請求項６に記載の発明は、請求項４から５のいずれかに記載の発明において、前記所定のスイッチを操作すると、前記表示部に所定の表示がなされ、次に前記所定のスイッチを操作すると、前記表示が消去されることを特徴とする。
【００１３】
請求項７に記載の発明は、請求項４から６のいずれかに記載の発明において、前記所定のスイッチ操作は、少なくとも１つのスイッチを所定時間押し続けることを特徴とする。
【００１４】
請求項８に記載の発明は、請求項１から７のいずれかに記載の発明において、制御対象となる機器が空気調和機であることを特徴とする。
【００１５】
請求項９に記載の発明は、請求項８に記載の発明において、前記リモートコントロール装置は、設定温度を上げるスイッチ及び設定温度を下げるスイッチを備え、前記設定温度を上げるスイッチ及び前記設定温度を下げるスイッチは、最初のスイッチ操作で前記表示画面に現在設定温度を表示し、最初のスイッチ操作から所定時間以内の次のスイッチ操作で設定温度の変更を有効にする機能を有し、前記所定のスイッチ操作は、前記設定温度を上げるスイッチと前記設定温度を下げるスイッチを同時に所定時間押し続けることを特徴とする。
【００１６】
請求項１０に記載の発明は、請求項１から９のいずれかに記載の発明において、ワイヤレスであることを特徴とする。
【００１７】
【発明の実施の形態】
以下、本発明の一実施形態を添付図面に従って説明する。図１は本発明の一実施形態における空気調和機に用いられるワイヤレスリモコン装置と空気調和機との関係を示す説明図である。図２はワイヤレスリモコン装置の通常運転モードにおける正面図、図３はワイヤレスリモコン装置の送信停止モードにおける正面図、図４はワイヤレスリモコン装置を通常運転モードから送信停止モードに変更する際の手順を示したフローチャートである。
【００１８】
図１において、１は空気調和機であり、室内機２、室外機３、及び冷媒配管４等から構成される。５はワイヤレスリモコン装置（以下、単にリモコンと記す）で、図示しない電池を電源として使用者のスイッチ操作により室内機２へ運転制御信号が送信され、空気調和機１の運転が制御される。
【００１９】
図２において、図２（ａ）はリモコンの通常運転モードにおけるリモコン蓋を閉じた状態の正面図である。また、図２（ｂ）はリモコンの通常運転モードにおけるリモコン蓋を開けた状態の正面図である。リモコン１０は、リモコンケース１２を有し、このリモコンケース１２の一面には、空気調和機１（図１参照）の運転を設定操作する複数の操作スイッチを有する操作部１４と、これら操作スイッチで設定された内容を液晶を用いて表示する表示部１６と、図示しない運転制御信号送信部と、リモコン周囲の温度を検出する温度センサ１８とを備えている。また、前記温度センサ１８にて検出された温度データは、例えば５分間に１回の間隔で、定期的に室内機２（図１参照）へ自動送信され機器の制御に利用される。
【００２０】
操作部１４には、空気調和機の運転と停止を行う運転・停止スイッチ２０、室温を設定する設定温度を上げるスイッチ２２、設定温度を下げるスイッチ２４、除湿運転モードを設定する除湿モード設定スイッチ２６、１時間後に運転を停止する１時間切タイマースイッチ２８の他、リモコン蓋３０をスライドさせると、運転モードを設定する運転切換スイッチ３２、就寝時の運転モードを設定する快眠運転スイッチ３４、風量を設定する風量スイッチ３６、空気調和機の室内機に設けられた図示しない上下風向調節板の角度を設定する風向スイッチ３８、設定した時刻に空気調和機の運転を開始するタイマー運転を有効にする入タイマースイッチ４０、設定した時刻に空気調和機の運転を停止するタイマー運転を有効にする切タイマースイッチ４２、設定した時刻に空気調和機の運転を開始または停止するタイマー運転を無効にするタイマー取消スイッチ４４、現在時刻を設定する時計スイッチ４６、空気調和機の運転電流の最大値を設定するアンペアスイッチ４８、室温データを検出するセンサーを室内機２（図１参照）に配設された図示しない温度センサーとするか、または前記リモコン１０に配設された前記温度センサー１８とするのかを選択するセンサースイッチ５０が配設されている。
【００２１】
表示部１６には、操作部１４に配設された各スイッチ操作にて設定される内容に応じて、運転モード、入タイマー、切タイマー、１時間切タイマー、快眠運転、空気調和機の運転電流の最大値の設定、室温データを検出する温度センサーの設定等の文字表示と、設定温度、現在温度、タイマー運転有効時にタイマー時間、タイマー運転無効時に現在時刻等の数字表示と、室内機２（図１参照）の風向の角度及び風量等を示す図表示が液晶で表示される。
【００２２】
特に、室温を設定する前記設定温度を上げるスイッチ２２及び前記設定温度を下げるスイッチ２４の操作時においては、最初のスイッチ操作で現在の設定温度を表示し、最初のスイッチ操作から、例えば５秒以内などの所定時間以内における前記スイッチ２２及び前記スイッチ２４のスイッチ操作で設定温度の変更を有効にするようになされている。
【００２３】
また、前記センサースイッチ５０において、室温データを検出するセンサーとして、前記リモコン１０に配設された前記温度センサ１８を選択しない設定を行った場合には、前記リモコン１０からの温度データの自動送信は停止される。
【００２４】
図３において、リモコン２０の表示部１６には、送信停止モードの設定がなされたことを示すキャラクター表示６０が表示されている。前記キャラクター表示６０は、例えば前記設定温度を上げるスイッチ２２及び前記設定温度を下げるスイッチ２４を同時に５秒間以上押し続けることによって表示され、再び前記設定温度を上げるスイッチ２２及び前記設定温度を下げるスイッチ２４を同時に５秒間以上押し続けることによって消去される。
【００２５】
また、前記キャラクター表示６０が表示されている間は、前記操作部１４に配設されたスイッチの通常の操作は無効とされ、前記スイッチの通常の操作に基づく、前記室内機２（図１参照）への運転制御信号は送信されない。
【００２６】
次に、図４のフローチャートを参照しながらリモコンを通常運転モードから送信停止モードに変更した後に、再び通常運転モードへ戻す場合の手順を説明する。
【００２７】
例えば、前記リモコン１０が通常運転モード中において、前記リモコン１０の操作部１４に配設された設定温度を上げるスイッチ２２及び設定温度を下げるスイッチ２４（図２参照）を同時に５秒間以上押されたか否かを判断し（ステップＳ１）、５秒間以上押されたと判断すると前記リモコン１０の操作部１４の各スイッチ操作に基づく運転制御信号の送信を全て停止するリモコン送信停止モードへ移行する。
【００２８】
この時、上述したように室温を設定する前記設定温度を上げるスイッチ２２及び前記設定温度を下げるスイッチ２４の操作時においては、最初のスイッチ操作で現在の設定温度を表示し、最初のスイッチ操作から、例えば５秒以内などの所定時間以内における前記スイッチ２２及び前記スイッチ２４のスイッチ操作で設定温度の変更を有効にするようになされているため、最初のスイッチ操作では設定温度が変更されず、前記スイッチ２２及び前記スイッチ２４が同時に押されても設定温度が変更となることはない。
【００２９】
そして、前記リモコン１０の表示部１６に送信停止モードの設定がなされたことを示すキャラクタ表示６０（図３参照）が表示される（ステップＳ２）。
【００３０】
また、ステップＳ１で前記リモコン１０の操作部１４に配設された設定温度を上げるスイッチ２２及び設定温度を下げるスイッチ２４（図２参照）を同時に５秒間以上押されなかったと判断すると通常運転モードがそのまま維持される。
【００３１】
次に、機器が運転中で且つ前記センサースイッチ５０のスイッチ操作により、リモコン温度データ自動送信停止中でないか否かを判断し（ステップＳ３）、機器が運転中で且つ前記センサースイッチ５０のスイッチ操作により、リモコン温度データ自動送信停止中でないと判断すると前記リモコン１０の温度センサ１８が検出した温度データのみを、例えば５分に１回の間隔で前記室内機２（図１参照）へ自動送信する（ステップＳ４）。
【００３２】
また、ステップＳ３で少なくとも機器が運転中でないか、或いは前記センサースイッチ５０のスイッチ操作により、リモコン温度データ自動送信停止中であると判断するとステップ４の処理を行わず次のステップへ移行する。
【００３３】
次に、前記リモコン１０の操作部１４に配設された設定温度を上げるスイッチ２２及び設定温度を下げるスイッチ２４（図２参照）を同時に５秒間以上押されたか否かを判断し（ステップＳ５）、５秒間以上押されたと判断すると送信停止モードの設定が解除され、前記リモコン１０の表示部１６から送信停止モード中であることを示すキャラクタ表示６０（図３参照）が消去され（ステップＳ６）、前記リモコン１０は操作部１４の各スイッチ操作に基づく運転制御信号の送信を有効にする通常運転モードへ移行し、ステップＳ１へ戻るものとなっている。
【００３４】
また、ステップＳ５にて前記リモコン１０の操作部１４に配設された設定温度を上げるスイッチ２２及び設定温度を下げるスイッチ２４（図２参照）を同時に５秒間以上押されなかったと判断するとステップＳ２へ戻る処理を行う。
【００３５】
このように、前記リモコン１０の通常運転モードと送信停止モードの切換手段は、前記リモコン１０の操作部１４に配設された設定温度を上げるスイッチ２２及び設定温度を下げるスイッチ２４（図２参照）を同時に５秒間以上押されたことによってなされるものであるため、専用のスイッチなどを備える必要がなく、安価なリモコンとすることができる。
【００３６】
また、前記リモコン１０において、通常運転モードから送信停止モードへ移行した際には、前記表示部１６に送信停止モード中であることを示すキャラクタ表示６０（図３参照）がなされ、送信停止モードから通常運転モードへ移行した際には、前記表示部１６から送信停止モード中であることを示すキャラクタ表示６０（図３参照）が消去されるため、使用者はリモコンが現在、通常運転モードか或いは送信停止モードへ設定されたか容易に確認可能である。
【００３７】
また、前記リモコン１０の通常運転モードと送信停止モードの切換手段は、前記リモコン１０の操作部１４に配設された設定温度を上げるスイッチ２２及び設定温度を下げるスイッチ２４（図２参照）を同時に５秒間以上押されたことによってなされるという特殊なスイッチ操作によるため、前記切換手段を極めて限られた使用者のノウハウとして共有することを可能とし、不特定多数の使用者が存在する場合のいたずら等による不適切な機器の運転や設定変更で機器の無駄なエネルギー消費や空調性の悪化を引き起こされてしてしまうことを回避することができる。
【００３８】
また、前記リモコン１０において、通常運転モードから送信停止モードへ移行した際には、操作部１４に配設された各スイッチ操作に基づく運転制御信号の送信を無効にするため電池の無駄な消耗を防ぐことができる。
【００３９】
以上、本発明を上記実施の形態に基づいて説明したが、本発明はこれに限定されるものではない。
【００４０】
例えば、図４のステップＳ１及びステップＳ５におけるスイッチ操作は、設定温度を上げるスイッチ２２と設定温度を下げるスイッチ２４（図２参照）を同時に１０秒間以上押すことによる手段でもよい。
【００４１】
また、図４のステップＳ１及びステップＳ５におけるスイッチ操作は、入タイマースイッチ４０と切タイマースイッチ４２（図２参照）を同時に所定時間（例えば５秒間以上）押すことによる手段でもよい。
【００４２】
また、上記の本発明の実施形態の説明においては、ワイヤレスリモコンについて説明したが、ワイヤードリモコンであってもよいなど適宜応用可能である。
【００４３】
【発明の効果】
本発明によれば、不特定多数の利用者のいたずら等による不適切な機器の運転や設定変更を簡易な方法で回避し、無駄なエネルギー消費を抑えたリモートコントロール装置を提供することができる。
【図面の簡単な説明】
【図１】本発明における空気調和機に用いられるワイヤレスリモコン装置と空気調和機との関係を示す説明図である。
【図２】本発明におけるワイヤレスリモコン装置の通常運転モードにおける正面図である。
【図３】本発明におけるワイヤレスリモコン装置の送信停止モードにおける正面図である。
【図４】本発明におけるワイヤレスリモコン装置を通常運転モードから送信停止モードに変更する際の手順を示したフローチャートである。
【符号の説明】
１  空気調和機
２  室内機
３  室外機
４  冷媒配管
５  ワイヤレスリモコン装置
１０  リモコン
１２  リモコンケース
１４  操作部
１６  表示部
１８  温度センサ
２０  運転・停止スイッチ
２２  設定温度を上げるスイッチ
２４  設定温度を下げるスイッチ
２６  除湿モード設定スイッチ
２８  １時間切タイマースイッチ
３０  リモコン蓋
３２  運転切換スイッチ
３４  快眠運転スイッチ
３６  風量スイッチ
３８  風向スイッチ
４０  入タイマースイッチ
４２  切タイマースイッチ
４４  タイマー取消スイッチ
４６  時計スイッチ
４８  アンペアスイッチ
５０  センサースイッチ
６０  キャラクター表示
【図１】
2004293908.tif 000003
【図２】
2004293908.tif 000004
【図３】
2004293908.tif 000005
【図４】
2004293908.tif 000006